(57)【要約】【課題】ポンプユニット内に統合制御部を設置するとともに、該統合制御部の低温化を図る。【解決手段】複数の熱源機ユニット（給湯器４−１、４−２、４−３、４−４）を備える給湯システム（２）に設置されるポンプユニット（６）であって、給水を循環させる循環路（８）に接続された循環ポンプ（２０−１、２０−２）と、各熱源機ユニットの制御を統合し、前記循環ポンプを制御する統合制御部（マルチ制御部１８）と、少なくとも前記循環ポンプとともに前記統合制御部が設置された筐体（ユニット筐体１４）と、少なくとも前記統合制御部を低温化する低温化機構部（２２）とを備える。【選択図】図１
2020020483.tif 000002
【特許請求の範囲】
【請求項１】
複数の熱源機ユニットを備える給湯システムに設置されるポンプユニットであって、
給水を循環させる循環路に接続された循環ポンプと、
各熱源機ユニットの制御を統合し、前記循環ポンプを制御する統合制御部と、
少なくとも前記循環ポンプとともに前記統合制御部が設置された筐体と、
少なくとも前記統合制御部を低温化する低温化機構部と、
を備えることを特徴とするポンプユニット。
【請求項２】
前記筐体を換気する換気部を備え、該換気部による自然換気または強制換気により少なくとも前記統合制御部を低温化することを特徴とする請求項１に記載のポンプユニット。
【請求項３】
複数の熱源機ユニットを備える給湯システムであって、請求項１または請求項２に記載のポンプユニットを備えたことを特徴とする給湯システム。
【発明の詳細な説明】
【技術分野】
【０００１】
本発明は、複数の熱源機を備える給湯システムおよびそのポンプユニットに関する。
【背景技術】
【０００２】
ホテルなど、給湯需要の多い施設では、複数の熱源機を併設した給湯システムが用いられる。斯かる給湯システムでは、給湯需要に応じて熱源機を選択して動作させるなどの給湯制御が行われる。
斯かる給湯システムに関し、給湯先から帰還水を熱源機に戻し、その温度に応じて循環ポンプの動作を制御することが知られている（たとえば、特許文献１）。また、複数の熱源機を備えたシステムでは、給湯器本体とポンプユニットを共通のユニットに構成し、各ユニットを架台に設置し、システム意匠の統一化を図るシステムとし、給湯器本体を集約的に制御する制御装置が備えられる（たとえば、特許文献２）。
【先行技術文献】
【特許文献】
【０００３】
【特許文献１】特開２００６−３２９５７６号公報
【特許文献２】特開２０１３−００２７８６号公報
【発明の概要】
【発明が解決しようとする課題】
【０００４】
ところで、複数の給湯器およびポンプユニットをユニット化しても、給湯器を統合的に制御する制御装置は給湯器やポンプユニットと独立した筐体で構成されている。給湯器やポンプユニットをコンパクト化しても、制御装置を異なる筐体で構成すれば、システム全体が制御装置を内蔵した筐体により嵩張り、設置面積が大きくなる、ポンプユニットと制御装置の間を接続するための配線が必要となる、そのための作業が必要であり面倒であるなどの課題がある。
斯かる課題を解決するため、本発明の発明者らはポンプユニット内に確保された空間部に各給湯器を統合的に制御するための統合制御部を設置すればよい、との知見を得た。
ところが、ポンプユニット内の循環路には温水が循環し、循環ポンプも駆動時、６０℃以上の高温になることが予想される。このような高温状態に統合制御部を曝すことは好ましくなく、統合制御部の動作温度は約４０℃以下に維持しなければならないという課題がある。
そこで、本発明の目的は上記知見および上記課題に鑑み、ポンプユニット内に統合制御部を設置するとともに、該統合制御部を低温化することにある。
【課題を解決するための手段】
【０００５】
上記目的を達成するため、本発明のポンプユニットの一側面によれば、複数の熱源機ユニットを備える給湯システムに設置されるポンプユニットであって、給水を循環させる循環路に接続された循環ポンプと、各熱源機ユニットの制御を統合し、前記循環ポンプを制御する統合制御部と、少なくとも前記循環ポンプとともに前記統合制御部が設置された筐体と、少なくとも前記統合制御部を低温化する低温化機構部とを備える。
このポンプユニットにおいて、前記筐体を換気する換気部を備え、該換気部による自然換気または強制換気により少なくとも前記統合制御部を低温化させてよい。
上記目的を達成するため、本発明の給湯システムの一側面によれば、複数の熱源機ユニットを備えて給湯する給湯システムであって、前記ポンプユニットを備える。
【発明の効果】
【０００６】
本発明のポンプユニットまたは給湯システムによれば、次のいずれかの効果が得られる。
(1) ポンプユニット内に設置された統合制御部が低温化部により低温化されるので、温水や循環ポンプからの熱的影響を回避できる。
(2) 統合制御部の熱暴走を回避できる。
(3) ポンプユニット内に統合制御部が設置されたことにより、給湯システムの設置工事を簡略化でき、各熱源機を集約的に制御するための制御装置を収容する独立した筐体が不要であり、給湯システムの設置面積を縮小でき、制御装置とポンプユニットの外部配線の不要化や配線の簡略化を図ることができる。
【図面の簡単な説明】
【０００７】
【図１】Ａは第１の実施の形態に係る給湯システムを示す正面図、Ｂはその平面図である。
【図２】Ａはポンプユニットを示す側面図、ＢはＡに示すIIＢ部の断面図である。
【図３】Ａはポンプユニットの前面板を示す正面図、Ｂは前面板を示す底面図である。
【図４】内側から見た防雨板を示す斜視図である。
【図５】ポンプユニットの内部構造を示す正面図である。
【図６】ポンプユニットの内部構造を示す平面図である。
【図７】ポンプユニットの内部構造を示す側面図である。
【図８】ポンプユニットを備える給湯システムを示す図である。
【図９】マルチ制御部、給湯制御部およびリモコン制御部を示す図である。
【図１０】第２の実施の形態に係る換気部の断面図である。
【図１１】第２の実施の形態に係るマルチ制御部を示す図である。
【発明を実施するための形態】
【０００８】
＜第１の実施の形態＞
図１のＡおよびＢは、第１の実施の形態に係るポンプユニットを備えた給湯システムを示している。図１のＡおよびＢに示す構成は一例であって、斯かる構成に本発明が限定されるものではない。
この給湯システム２では４台の給湯器４−１、４−２、４−３、４−４とともに、ひとつのポンプユニット６が設置され、給湯箇所に給湯する循環路８に連結されている。給湯器４−１、４−２、４−３、４−４は、複数の熱源機ユニットの一例である。循環路８には、各給湯器４−１、４−２、４−３、４−４が並列に、ポンプユニット６が直列に接続されている。
【０００９】
この給湯システム２には図１のＢに示すように、給湯器４−１、・・・、４−４およびポンプユニット６の設置が可能な第１および第２の架台１０−１、１０−２が備えられる。架台１０−１は給湯器４−１、・・・、４−４を設置するための支持部材であり、架台１０−２はポンプユニット６を設置するための支持部材の一例である。これらは別部材で構成してもよいが、一体型の支持部材としてもよい。
架台１０−１の前面側には給湯器４−１、４−２が掛けられ、この架台１０−１の背面側には給湯器４−１、４−２と背面側を対向させた共通の給湯器４−３、４−４が掛けられている。給湯器４−１、４−２、４−３、４−４、ポンプユニット６の下部にはパイプケース部１２−１、１２−２が設置されている。
【００１０】
各給湯器４−１、・・・、４−４は共通のユニット筐体を備える給湯器ユニットで構成され、これに対応してポンプユニット６のユニット筐体（以下単に「筐体」と称する）１４も共通化されている。
ポンプユニット６と給湯器４−２との間に循環路８のフランジ締結部１６が設置されている。このフランジ締結部１６が設置された空間部はポンプユニット６と給湯器４−２との熱的絶縁空間として機能している。
そして、ポンプユニット６には給湯器４−１、４−２、４−３、４−４の制御を統合するマルチ制御部１８が設置されている。マルチ制御部１８は、複数の熱源機ユニットである給湯器４−１、４−２、４−３、４−４の制御を統合し、ポンプユニット６内の循環ポンプ２０−１、２０−２（図５）を制御する。つまり、マルチ制御部１８はポンプユニット６の筐体１４の内部に一体的に設置されているので、マルチ制御部１８には独立した筐体は不要である。
【００１１】
＜ポンプユニット６および低温化機構部２２＞
図２のＡは、ポンプユニット６の側面を示している。このポンプユニット６には少なくともマルチ制御部１８を空冷により低温化する低温化機構部２２が備えられる。この低温化機構部２２の一例として、筐体１４の前面を覆う前面板２４には側面側および底面側に換気部２６−１、２６−２（図３のＢ）が備えられ、背面板２８にも換気部２６−３が備えられる。換気部２６−１はたとえば、前面板２４の側面側に形成された複数の換気口２７ａ、前面側に形成された換気口２７ｂで構成される。
前面板２４と筐体１４の間には、換気部２６−１の上部に至る防雨板３０が備えられる。この防雨板３０は風雨や塵埃が筐体１４内に侵入するのを防止する遮蔽部材の一例である。この防雨板３０を備えたことにより、換気部２６−１から筐体１４の内部へ入り込む雨水を阻止でき、この防雨板３０の上縁と前面板２４の間には通気口３５が形成され、この通気口３５により防雨板３０の上方から外気Ａｉｒを筐体１４内に取り込むことができる。これにより、筐体１４内の自然換気が可能である。
【００１２】
換気部２６−３では、図２のＢに示すように、換気口３２の上部側に庇部３４が備えられる。庇部３４は換気口３２からの風雨や塵埃の侵入を阻止するための遮蔽部材の一例である。
このように、低温化機構部２２では筐体１４の内部空間は換気部２６−１、２６−２および換気部２６−３により外気に開放され、換気部２６−１、２６−２、２６−３が筐体１４の内部空間で連通している。
筐体１４内の空気が温水ＨＷや循環ポンプ２０−１、２０−２の熱で温められて換気部２６−３から排気されると、これに伴って換気部２６−１、２６−２から外気Ａｉｒが取り込まれる。これによって、筐体１４の内部空間には気流が生じ、マルチ制御部１８を低温化させることができる。
【００１３】
＜ポンプユニット６の前面板２４および遮蔽機構＞
図３のＡは、ポンプユニット６の筐体１４から外された前面板２４を示している。図３のＡにおいて、図２のＡと同一部分には、同一符号を付している。図中、想像線で示すマルチ制御部１８筐体１４側のマルチ制御部１８の設置位置を示している。前面板２４の背面側には、防雨板３０（図４）が着脱可能に取り付けられている。この前面板２４の底面部には、図３のＢに示すように、換気部２６−２が備えられる。この換気部２６−２は、前面板２４の底面側に形成された長径の複数の換気口２７ｃで構成される。
図４は、換気部２６−１、２６−２の遮蔽機構を構成する防雨板３０を示している。この防雨板３０は、たとえば鋼板や樹脂板で構成される。この防雨板３０は、前面板２４の背面部を覆うプレートであり、中央に筐体１４の構成部品を避けるための凹部２９が備えられ、上部側の縁部には前面板２４に係止させるための係止突部３１が備えられ、下縁には固定孔３３が備えられる。
【００１４】
＜ポンプユニット６の内部構造＞
図５は、前面板２４を外して前面側から見たポンプユニット６の内部構造を示している。図６は、天井板を除いて上面側から見たポンプユニット６の内部構造を示している。図７は、側面板を除いて右側面側から見たポンプユニット６の内部構造を示している。
このポンプユニット６では筐体１４としてたとえば、正方形で偏平形であり、鋼板やステンレス板などで形成された筐体が用いられている。この筐体１４の上縁部および下縁部には前面板の取付け部３６−１、３６−２が備えられる。
【００１５】
この筐体１４の底部には循環ポンプ２０−１、２０−２、入側ポート部３８、出側ポート部４０が固定されている。
循環ポンプ２０−１、２０−２の上側には筐体１４の側面に隣接して膨張タンク４２が設置されている。この膨張タンク４２は、循環路８に接続された管路４４に接続されている。
出側ポート部４０には筐体１４の側面側角部（図６）に隣接して気水分離器４６が設置されている。この気水分離器４６には循環ポンプ２０−１、２０−２が循環路８の一部である管路４８−１、４８−２を介して接続されている。
気水分離器４６と出側ポート部４０との間には循環路８の一部である管路５０が接続されている。
【００１６】
したがって、循環ポンプ２０−１、２０−２の駆動により、循環路８からの循環水が入側ポート部３８から循環ポンプ２０−１、２０−２に引き込まれ、管路４８−１、４８−２を通して気水分離器４６に至る。気水分離を経た循環水は管路５０を通して出側ポート部４０から循環路８に出て給湯器４−１、・・・、４−４に至る。
そして、筐体１４の内部には膨張タンク４２と気水分離器４６の間に空間部５２が形成されている。この空間部５２にはマルチ制御部１８が設置されている。このマルチ制御部１８にはたとえば、断熱材で形成された制御ケースが備えられ、この制御ケースに既述のハードウェアを搭載した回路基板が実装されている。
【００１７】
＜給湯システム２＞
図８は、給湯システム２の配管系統を示している。図８において、図５と同一部分には同一符号を付してある。
ポンプユニット６には既述した循環ポンプ２０−１、２０−２、逆止弁５４−１、５４−２、気水分離器４６、膨張タンク４２、温度センサー５６とともに、マルチ制御部１８が備えられる。循環ポンプ２０−１、２０−２は何れか一方または双方を駆動し、循環路８に給水Ｗまたは温水ＨＷを循環させる。逆止弁５４−１、５４−２は循環路８の循環水の逆流を防止する。気水分離器４６は循環路８内に流れる気泡を循環水と分離して外気に放出する。膨張タンク４２は循環路８内の圧力を調整する。温度センサー５６はポンプユニット６内の循環路８を循環する循環水の温度を検出する。
【００１８】
マルチ制御部１８は、給湯器４−１、４−２、４−３、４−４の各給湯制御部５８を統合する統合制御部の一例であり、循環ポンプ２０−１、２０−２により循環路８の給湯循環を制御する。この給湯循環には加熱前の給水Ｗの循環も含まれる。循環路８の帰還側には逆止弁６０を介して給水Ｗが供給される。給水Ｗはたとえば、上水である。
各給湯器４−１、４−２、４−３、４−４には一次熱交換器６２、二次熱交換器６４、水制御弁６６、水量センサー６８、混合弁７０、温度センサー７２、７４、バーナー７６、給湯制御部５８、給水路７８、給湯路８０、ガス制御弁８１（図９）が備えられる。各給湯器４−１、４−２、４−３、４−４には循環路８から給水路７８を通して給水Ｗまたは循環水が流れ込み、各給湯器４−１、４−２、４−３、４−４による熱交換後の温水ＨＷまたは循環水が給湯路８０から循環路８に流れる。
一次熱交換器６２は、二次熱交換器６４および混合弁７０を通過した給水Ｗまたは循環水にバーナー７６の燃焼排気の主として顕熱を熱交換する。
【００１９】
二次熱交換器６４は、循環路８からの給水Ｗまたは循環水にバーナー７６の燃焼排気の主として潜熱を熱交換する。この二次熱交換器６４による熱交換は、一次熱交換器６２の熱交換前の給水Ｗまたは循環水に対して行われる。
水制御弁６６は、循環路８から給水路７８に流れ込む給水量、つまり、給湯路８０から循環路８に流れる出湯量を制御する。
【００２０】
混合弁７０は、一次熱交換器６２の上流側に設置されている。この混合弁７０では、一次熱交換器６２側の開度と、バイパス路８２側の開度の比率により、一次熱交換器６２で加熱された温水ＨＷとバイパス路８２側の循環水とが混合される。したがって、混合弁７０の開度比率により、一次熱交換器６２による熱交換で加熱された温水ＨＷと、バイパス路８２に流れる温水ＨＷとの混合が行われ、給湯路８０からの給湯温度が調整される。
水量センサー６８は給水路７８に流れる給水Ｗの流量を検出する。温度センサー７２は、給水路７８の入口側で給水Ｗの温度を検出する。
【００２１】
そして、マルチ制御部１８と各給湯制御部５８とは接続され、マルチ制御部１８にはリモコン装置８４が接続されている。給湯制御部５８は、マルチ制御部１８の制御出力により水制御弁６６の開度を調整するとともに、水量センサー６８の検出流量、温度センサー７２、７４の検出温度を受け、設定温度に応じて混合弁７０の開度比率を調整するなどの制御を行う。
リモコン装置８４は、駆動開始入力やマルチ制御部１８に対して設定温度などの入力  の他、マルチ制御部１８や各給湯制御部５８の初期設定などにも用いられる。
【００２２】
＜マルチ制御部１８、各給湯制御部５８およびリモコン制御部８６＞
図９は、マルチ制御部１８、各給湯制御部５８およびリモコン制御部８６のハードウェアを示している。
マルチ制御部１８には通信機能を備えるコンピュータで構成され、通信部８８、プロセッサ９０、メモリ部９２、タイマー部９４、入出力（Ｉ／Ｏ）部９８が備えられる。通信部８８は、各給湯制御部５８にケーブル１００−１を介して接続されるとともに、リモコン制御部８６にケーブル１００−２を介して接続され、データの送受信に用いられる。通信部８８の接続形態には有線接続の他、無線接続を用いてもよい。
【００２３】
プロセッサ９０は温度センサー５６の検出温度、各給湯制御部５８やリモコン制御部８６の制御情報を受け、給湯器４−１、４−２、４−３、４−４の統合制御を行うとともに、循環ポンプ２０−１、２０−２の駆動制御を行う。
メモリ部９２には設定情報を含む制御情報が格納される。このメモリ部９２にはＲＯＭ（Read-Only Memory）、ＲＡＭ（Random-Access Memory）、ＥＥＰＲＯＭ（Electrically Erasable Programmable Read-Only Memory ）などが含まれる。
タイマー部９４は動作時間などの計時を行う。
Ｉ／Ｏ部９８はプロセッサ９０の制御により、温度センサー５６の検出温度の取込み、循環ポンプ２０−１、２０−２の動作情報の出力や、表示部９６への表示情報の出力に用いられる。表示部９６は通常動作の他、メンテナンスなどにおいて、動作情報などを表示する。
【００２４】
給湯制御部５８にはマルチ制御部１８と通信可能な通信機能を備えるコンピュータで構成され、通信部１０２、プロセッサ１０４、メモリ部１０６、Ｉ／Ｏ部１０８が備えられる。通信部１０２は、マルチ制御部１８にケーブル１００−１を介して接続され、データの送受信に用いられる。通信部１０２の接続形態には有線接続の他、無線接続を用いてもよい。
【００２５】
プロセッサ１０４は水量センサー６８の検出水量、温度センサー７２、７４の検出温度、マルチ制御部１８の制御情報を受け、水制御弁６６、混合弁７０、ガス制御弁１１０などの個別制御を行う。
メモリ部１０６には設定情報を含む制御情報が格納される。このメモリ部１０６にはＲＯＭ、ＲＡＭ、ＥＥＰＲＯＭなどが含まれる。
Ｉ／Ｏ部１０８はプロセッサ１０４の制御により、水量センサー６８の検出水量の取込み、温度センサー７２、７４の検出温度の取込み、水制御弁６６、混合弁７０またはガス制御弁１１０を制御する制御情報の出力に用いられる。
【００２６】
リモコン制御部８６にはマルチ制御部１８と通信可能な通信機能を備えるコンピュータで構成され、通信部１１２、プロセッサ１１４、メモリ部１１６、Ｉ／Ｏ部１１８、表示部１２０、操作入力部１２２が備えられる。通信部１１２は、マルチ制御部１８にケーブル１００−２を介して接続され、データの送受信に用いられる。通信部１１２の接続形態には有線接続の他、無線接続を用いてもよい。
【００２７】
プロセッサ１１４はマルチ制御部１８の制御情報、操作入力部１２２の操作入力を受け、マルチ制御部１８などの統括制御を行う。
メモリ部１１６には操作入力部１２２からの設定情報を含む制御情報が格納される。このメモリ部１１６にはＲＯＭ、ＲＡＭ、ＥＥＰＲＯＭなどが含まれる。
Ｉ／Ｏ部１１８はプロセッサ１１４の制御により、操作入力部１２２からの操作入力の取り込み、表示部１２０の表示出力に用いられる。
表示部１２０はたとえば、ＬＣＤ（Liquid Crystal Display）が用いられ、設定情報や制御情報が表示される。制御情報には給湯表示、検出温度などが含まれる。操作入力部１２２には、電源スイッチ、設定スイッチなど、電源投入、温度設定などを行うための複数のスイッチが含まれる。
【００２８】
＜第１の実施の形態の効果＞
この第１の実施の形態によれば、次の効果が得られる。
(1) ポンプユニット６の筐体１４に設置されたマルチ制御部１８は低温化機構部２２によって低温化されるので、マルチ制御部１８の動作の安定化を図ることができ、給湯システム２の信頼性を維持できる。マルチ制御部１８がポンプユニット６に一体化されることにより、以下の効果が得られる。
(2) 各給湯器の制御を統合するマルチ制御部がポンプユニットに内蔵されたので、給湯システムの設置工事を簡略化できる。
(3) マルチ制御部には独立した筐体が不要であり、ポンプユニットの設置でマルチ制御部が設置されるので、給湯システムの設置面積を縮小できる。
【００２９】
(4) マルチ制御部とポンプユニットとの間における外部配線が不要であり、配線およびその配線工事を簡略化できる。
(5) 複数の熱源機として給湯器４−１、・・・、４−４を並列に配置し、ホテルなど、小容量から大容量の給湯需要に対応する給湯システムを構築でき、即湯に対応するための循環路を備えたシステムを実現できる。
(6) 斯かるシステムでは、給湯箇所など、消費設備につながる配管を備えた架台１０−１に複数の給湯器４−１、・・・、４−４、架台１０−２にポンプユニット６を架け、配管と接続するとともに配管から消費設備に至るまでの配管工事を施工現場で行い、循環路８を形成でき、工事の簡略化を図ることができる。
【００３０】
(7) 循環路８の給湯循環に必要な循環ポンプ２０−１、２０−２、膨張タンク４２、気水分離器４６などの設置や接続は現場施工で行える。
(8) 複数の給湯器４−１、・・・、４−４を制御するマルチ制御部１８は独立筐体とする必要がなく、ポンプユニット６に備え、マルチ制御部１８のための配置などの複雑な施工は不要である。
(9) マルチ制御部１８を独立筐体とする必要はないので、給湯器などの筐体との整合を図る必要もない。
【００３１】
(10)  マルチ制御部１８は循環ポンプ２０−１、２０−２や膨張タンク４２などをユニット化したポンプユニット６の筐体１４内に設置し、システム構成の簡略化を図ることができる。
(11)  マルチ制御部１８をポンプユニット６内に設置したことにより、設置工事の簡略化、マルチ制御部１８を独立して収納するための筐体の不要化、システムの設置面積の縮小などを図ることができる。
【００３２】
(12)  マルチ制御部１８とポンプユニット６との配線およびその工事が不要となり、通信信号線のみの接続で、配線回路や設置工事の簡略化を図ることができる。
(13)  ポンプユニット６内にマルチ制御部１８を備えたことで、ポンプユニット６内のデッドスペースを有効活用できるとともに、ポンプユニット６のメンテナンスなどに対応し、ポンプユニット６のみでマルチ制御部１８を含めた動作確認が可能であるとともに、マルチ制御部１８を活用したポンプユニット６の動作確認を容易に行うことができる。マルチ制御部１８の表示部９６には動作確認中の制御情報などを表示でき、信頼性の高い動作確認やメンテナンスを行うことができる。
【００３３】
〔第２の実施の形態〕
図１０は、第２の実施の形態に係るポンプユニット６の低温化機構部２２を示している。図１０において、図２と同一部分には同一符号を付してある。
この低温化機構部２２では、換気部２６−３から筐体１４の内部の空気を強制的に排気するための換気ファン１２４が備えられる。この換気ファン１２４にはファンモーター１２６が連結されている。ファンモーター１２６を駆動すれば、換気ファン１２４が回転し、既述の換気部２６−１、２６−２から筐体１４内に外気Ａｉｒが取り込まれ、この外気Ａｉｒを換気部２６−３から排気することができる。これにより、筐体１４の内部空間を空冷により低温化でき、マルチ制御部１８を低温化することができる。このファンモーター１２６の駆動は、マルチ制御部１８の稼働中、連続運転としてもよいが、定期的な間欠運転としてもよいし、検出温度に応じた回転制御を行ってもよい。
【００３４】
ファンモーター１２６の温度制御を行うには、マルチ制御部１８に隣接して温度センサー１２８を備えればよい。この温度センサー１２８はマルチ制御部１８ないし筐体１４内の温度を検出し、この検出温度をマルチ制御部１８に取り込み、検出温度に応じてファンモーター１２６を駆動すればよい。
【００３５】
図１１は、低温化機構部２２の温度制御機能を備えたマルチ制御部１８を示している。図１１において、図９と同一部分には同一符号を付してある。このマルチ制御部１８では、既述のファンモーター１２６および温度センサー１２８がＩ／Ｏ部９８に接続されている。そして、このマルチ制御部１８では、換気ファン１２４の駆動開始温度に閾値を設定し、温度センサー１２８の検出温度がこの閾値を超えたとき、ファンモーター１２６を駆動し、換気ファン１２４を回転させ、強制換気を行う。
【００３６】
＜第２の実施の形態の効果＞
この第２の実施の形態によれば、次の効果が得られる。
(1) 換気ファン１２４の駆動により、筐体１４内に空気流を生じさせ、筐体１４内の空冷化により、マルチ制御部１８の低温化を行うことができる。
(2) 筐体１４内の温度上昇やマルチ制御部１８の温度上昇を温度センサー１２８の検出温度で監視し、この検出温度が閾値を超えたとき、換気ファン１２４を駆動すれば、無駄な電力消費を抑制しつつ、マルチ制御部１８の低温化を図ることができる。
なお、第２の実施の形態では、筐体１４内を全体的に空冷化しているが、マルチ制御部１８の筐体部のみの空冷化により、低温化を行ってもよい。
【００３７】
〔他の実施の形態〕
(1) 上記実施の形態では、４台の給湯器を備える給湯システムを例示したが、４台未満または４台を超える給湯器を備えた構成としてもよい。
(2) 上記実施の形態では、単一の一次熱交換器２８を備えた給湯器４−１、４−２、４−３、４−４を例示したが、一次熱交換器などの複数の熱交換手段を備えた給湯器を用いてもよい。
(3) 熱源にバーナーなどの燃焼熱を利用しているが、燃焼熱以外の太陽光エネルギーや電熱を利用する構成でもよい。
(4) マルチ制御部１８の低温化には、ヒートシンクなどの放熱手段を用いてもよく、これを併用してもよい。
(5) 換気部２６−１を構成する換気口２７ａ、２７ｂは、前面板２４の両側に形成しているが、片側のみでもよい。
(6) 第２の実施形態では、換気ファン１２４を備えて、換気部２６−３から排気して筐体１４内を換気しているが、換気ファン１２４により換気部２６−３から筐体１４内に吸気して換気部２６−１から排気して筐体１４内を換気してもよい。
【００３８】
以上説明したように、本発明の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【００３９】
本発明は、ポンプユニットの筐体内に設置されたマルチ制御部の低温化を実現し、給湯システムのコンパクト化、簡略化、設置工事やメンテナンスの容易化などを実現しつつ、マルチ制御部の動作の安定化を図ることができ、有用である。
【符号の説明】
【００４０】
２  給湯システム
４−１、４−２、４−３、４−４  給湯器
６  ポンプユニット
８  循環路
１０−１、１０−２  架台
１２−１、１２−２  パイプケース部
１４  ユニット筐体
１６  フランジ締結部
１８  マルチ制御部
２０−１、２０−２  循環ポンプ
２２  低温化機構部
２４  前面板
２６−１、２６−２、２６−３  換気部
２７ａ、２７ｂ、２７ｃ  換気口
２８  背面板
２９  凹部
３０  防雨板
３１  係止突部
３２  換気口
３３  固定孔
３４  庇部
３５  通気口
３６−１、３６−２  取付け部
３８  入側ポート部
４０  出側ポート部
４２  膨張タンク
４４  管路
４６  気水分離器
４８−１、４８−２  管路
５０  管路
５２  空間部
５４−１、５４−２  逆止弁
５６  温度センサー
５８  給湯制御部
６０  逆止弁
６２  一次熱交換器
６４  二次熱交換器
６６  水制御弁
６８  水量センサー
７０  混合弁
７２、７４  温度センサー
７６  バーナー
７８  給水路
８０  給湯路
８１  ガス制御弁
８２  バイパス路
８４  リモコン装置
８６  リモコン制御部
８８  通信部
９０  プロセッサ
９２  メモリ部
９４  タイマー部
９６  表示部
９８  入出力（Ｉ／Ｏ）部
１００−１、１００−２  ケーブル
１０２  通信部
１０４  プロセッサ
１０６  メモリ部
１０８  Ｉ／Ｏ部
１１０  ガス制御弁
１１２  通信部
１１４  プロセッサ
１１６  メモリ部
１１８  Ｉ／Ｏ部
１２０  表示部
１２２  操作入力部
１２４  換気ファン
１２６  ファンモーター
１２８  温度センサー
【図１】
2020020483.tif 000003
【図２】
2020020483.tif 000004
【図３】
2020020483.tif 000005
【図４】
2020020483.tif 000006
【図５】
2020020483.tif 000007
【図６】
2020020483.tif 000008
【図７】
2020020483.tif 000009
【図８】
2020020483.tif 000010
【図９】
2020020483.tif 000011
【図１０】
2020020483.tif 000012
【図１１】
2020020483.tif 000013